(57)【要約】【課題】より容易に原稿のサイズを登録できる画像形成システム及び画像形成方法を提供することである。【解決手段】実施形態の画像形成システムは、読取部と、第１画像生成部と、シートサイズ検知部と、印刷用紙情報記憶部と、印刷データ生成部と、制御部とを持つ。読取部は、プリント用シートを読取る。第１画像生成部は、シートが配置された領域であるシート領域の画像とそれ以外の領域の画像とを用いて判別することでシート領域の画像を表す第１画像データを生成する。シートサイズ検知部は、第１画像データからシートの寸法を表すシートサイズを検知する。印刷用紙情報記憶部は、第１画像データとシートサイズとを記憶する。印刷データ生成部は、画像形成装置との間で通信可能に構成され、第１画像データを取得し、印刷データ生成を行う。制御部は、シートサイズに基づき、印刷データを画像形成装置にて印刷するように制御する。【選択図】図１
2018156390.tif 000002
【特許請求の範囲】
【請求項１】
外部端末と、前記外部端末で生成された情報を画像形成する画像形成装置と、を有する画像形成システムであって、
前記画像形成装置は、
プリント用シートを読取る読取部と、
前記読取部の読取領域のうちシートが配置された領域であるシート領域の画像とそれ以外の領域の画像とを用いて判別することで前記シート領域の画像を表す第１画像データを生成する第１画像生成部と、
前記第１画像データから前記シートの寸法を表すシートサイズを検知するシートサイズ検知部と、
第１画像形生成部に生成された前記第１画像データと前記シートサイズ検知部によって検知された前記シートサイズとを記憶する印刷用紙情報記憶部と、
を備え、
前記外部端末は、
前記画像形成装置との間で通信可能に構成され、前記印刷用紙情報記憶部に記憶された前記第１画像データを取得し、印刷データ生成を行う印刷データ生成部と、
前記印刷用紙情報記憶部に記憶されたシートサイズに基づき、前記印刷データ生成部にて生成された印刷データを前記画像形成装置にて印刷するように制御する制御部と、
を備える画像形成システム。
【請求項２】
前記外部端末において文字及び画像を配置できる第２画像データを前記第１画像データに基づいて生成する第２画像生成部をさらに備え、
前記印刷用紙情報記憶部は、前記シートサイズと前記第２画像データとを記憶する、
請求項１に記載の画像形成システム。
【請求項３】
前記第２画像データを前記外部端末からの要求に応じて前記外部端末に送信する通信部をさらに備える、
請求項２項に記載の画像形成システム。
【請求項４】
前記印刷データ生成部を備え前記通信部は前記外部端末から画像形成される画像データを表す印刷画像データを受信し、
前記印刷画像データをシートの寸法に合わせて変倍するレイアウト部をさらに備える、
請求項３に記載の画像形成システム。
【請求項５】
外部端末と、前記外部端末で生成された情報を画像形成する画像形成装置と、を有する画像形成システムが実行する画像形成方法であって、
前記画像形成装置は、
プリント用シートを読取る読取ステップと、
前記読取ステップの読取領域のうちシートが配置された領域であるシート領域の画像とそれ以外の領域の画像とを用いて判別することで前記シート領域の画像を表す第１画像データを生成する第１画像生成ステップと、
前記第１画像データから前記シートの寸法を表すシートサイズを検知するシートサイズ検知ステップと、
前記第１画像生成ステップに生成された前記第１画像データと前記シートサイズ検知ステップによって検知された前記シートサイズとを記憶する印刷用紙情報記憶ステップと、
を有し、
前記外部端末は、
前記画像形成装置との間で通信可能に構成され、前記印刷用紙情報記憶ステップに記憶された前記第１画像データを取得し、印刷データ生成を行う印刷データ生成ステップと、
前記印刷用紙情報記憶ステップに記憶されたシートサイズに基づき、前記印刷データ生成ステップにて生成された印刷データを前記画像形成装置にて印刷するように制御する制御ステップと、
を有する画像形成方法。
【発明の詳細な説明】
【技術分野】
【０００１】
本発明の実施形態は、画像形成システム及び画像形成方法に関する。
【背景技術】
【０００２】
従来、帳票等の非定型サイズのシートに画像形成する場合、事前にシートのサイズを画像形成装置に登録する必要がある。さらに、登録されたシート上の所定の場所に画像形成したい場合、アプリケーション側でシートのサイズに合わせて印刷データの作成が必要であった。しかしながら、非定型サイズのシートを登録するためには、ユーザは手動でサイズを測り、印刷装置に登録する場合があった。また、シート上の所定の場所に画像形成するには試し印刷を行い、所望の場所に画像形成されているか確認を行っていた。所定の場所から外れていると、アプリケーション側で印刷データを修正し、再度試し印刷を行っていた。このように、ユーザは、トライアンドエラーで印刷位置を何回も調整する場合があった。
【先行技術文献】
【特許文献】
【０００３】
【特許文献１】特開平９−６８６３号公報
【特許文献２】特許第４５１３５７３号公報
【特許文献３】特許第４５８１９３７号公報
【特許文献４】特開平９−２４５０９９号公報
【発明の概要】
【発明が解決しようとする課題】
【０００４】
本発明が解決しようとする課題は、より容易に原稿のサイズを登録できる画像形成システム及び画像形成方法を提供することである。
【課題を解決するための手段】
【０００５】
実施形態の画像形成システムは、読取部と、第１画像生成部と、シートサイズ検知部と、印刷用紙情報記憶部と、印刷データ生成部と、制御部とを実施形態の画像形成システムは、外部端末と、画像形成装置とを持つ。画像形成装置は、画像形成装置は、読取部と、第１画像生成部と、シートサイズ検知部と、印刷用紙情報記憶部とを持つ。外部端末は、印刷データ生成部と、制御部とを持つ。読取部は、プリント用シートを読取る。第１画像生成部は、前記読取部の読取領域のうちシートが配置された領域であるシート領域の画像とそれ以外の領域の画像とを用いて判別することで前記シート領域の画像を表す第１画像データを生成する。シートサイズ検知部は、前記第１画像データから前記シートの寸法を表すシートサイズを検知する。印刷用紙情報記憶部は、第１画像形生成部に生成された前記第１画像データと前記シートサイズ検知部によって検知された前記シートサイズとを記憶する。印刷データ生成部は、前記画像形成装置との間で通信可能に構成され、前記印刷用紙情報記憶部に記憶された前記第１画像データを取得し、印刷データ生成を行う。制御部は、前記印刷用紙情報記憶部に記憶されたシートサイズに基づき、前記印刷データ生成部にて生成された印刷データを前記画像形成装置にて印刷するように制御する。
【図面の簡単な説明】
【０００６】
【図１】実施形態の画像形成装置１００の全体構成例を示す外観図。
【図２】実施形態の画像形成装置１００及び端末３００の機能構成を示す機能ブロック図。
【図３】実施形態の印刷用紙情報記憶部１０２が記憶する印刷用紙情報の一具体例を示す図。
【図４】実施形態の画像形成装置１００による原稿読取領域及びトリミング領域を表す図。
【図５】実施形態の端末３００による印刷画像データの一具体例を表す図。
【図６】実施形態の画像形成装置１００の具体的な画像形成処理の流れを示すシーケンス図。
【発明を実施するための形態】
【０００７】
以下、実施形態の画像形成システム及び画像形成方法を、図面を参照して説明する。
【０００８】
図１は、実施形態の画像形成装置１００の全体構成例を示す外観図である。画像形成装置１００は、例えば複合機である。画像形成装置１００は、ディスプレイ１１０、コントロールパネル１２０、プリンタ部１３０、シート収容部１４０及び画像読取部２００を備える。なお、画像形成装置１００のプリンタ部１３０は、トナー像を定着させる装置であってもよいし、インクジェット式の装置であってもよい。
【０００９】
画像形成装置１００は、トナー等の現像剤を用いてシート上に画像を形成する。シートは、例えば紙やラベル用紙である。シートは、その表面に画像形成装置１００が画像を形成できる物であればどのような物であってもよい。
【００１０】
ディスプレイ１１０は、液晶ディスプレイ、有機ＥＬ（Electro Luminescence）ディスプレイ等の画像表示装置である。ディスプレイ１１０は、画像形成装置１００に関する種々の情報を表示する。
【００１１】
コントロールパネル１２０は、複数のボタンを有する。コントロールパネル１２０は、ユーザの操作を受け付ける。コントロールパネル１２０は、ユーザによって行われた操作に応じた信号を、画像形成装置１００の制御部に出力する。なお、ディスプレイ１１０とコントロールパネル１２０とは一体のタッチパネルとして構成されてもよい。
【００１２】
プリンタ部１３０は、画像読取部２００によって生成された画像情報又は通信路を介して受信された画像情報に基づいて、シート上に画像を形成する。プリンタ部１３０は、例えば以下のような処理によって画像を形成する。プリンタ部１３０の画像形成部は、画像情報に基づいて感光体ドラム上に静電潜像を形成する。プリンタ部１３０の画像形成部は、静電潜像に現像剤を付着させることによって可視像を形成する。現像剤の具体例として、トナーがある。プリンタ部１３０の転写部は、可視像をシート上に転写する。プリンタ部１３０の定着部は、シートに対して加熱及び加圧を行うことによって、可視像をシート上に定着させる。なお、画像が形成されるシートは、シート収容部１４０に収容されているシートであってもよいし、手指しされたシートであってもよい。
【００１３】
シート収容部１４０は、プリンタ部１３０における画像形成に用いられるシートを収容する。シート収容部１４０は、複数のシートトレイを備える。シートはシートトレイに収容される。
【００１４】
画像読取部２００は、読み取り対象の画像情報を光の明暗として読み取る。画像読取部２００は、例えばカバーオープンで原稿を読み取る。画像読取部２００は、読み取られた画像情報を記録する。記録された画像情報は、ネットワークを介して他の情報処理装置に送信されてもよい。記録された画像情報は、プリンタ部１３０によってシート上に画像形成されてもよい。画像読取部２００は、読取部の一態様である。
【００１５】
図２は、実施形態の画像形成装置１００及び端末３００の機能構成を示す機能ブロック図である。画像形成装置１００は、通信部１０１、印刷用紙情報記憶部１０２、プリンタ部１３０、制御部１５０及び画像読取部２００を備える。
【００１６】
通信部１０１はネットワークインタフェースである。通信部１０１は、ネットワーク４００を介して端末３００と通信する。通信部１０１は、例えばＬＡＮ（Local Area Network）、Ｂｌｕｅｔｏｏｔｈ（登録商標）等のどのような通信方式で通信してもよい。
【００１７】
印刷用紙情報記憶部１０２は、磁気ハードディスク装置や半導体記憶装置等の記憶装置を用いて構成される。印刷用紙情報記憶部１０２は、印刷用紙情報を記憶する。印刷用紙情報はシートサイズ及び背景画像を含む。シートサイズは、画像読取部２００によって読み取られた画像情報の縦及び横の寸法を表す。背景画像は画像読取部２００によって読み取られた画像情報から生成された画像データである。また、印刷用紙情報は、画像形成時に用いられるシートトレイに関する情報を記憶してもよい。シートトレイに関する情報は、例えば複数のシートトレイのいずれか１つを識別する情報であればどのような情報であってもよい。画像形成装置１００は、シートトレイに関する情報に基づいて識別されたシートトレイを画像形成処理時にデフォルトのシートとして選択する。
【００１８】
制御部１５０は、画像形成装置１００の各部の動作を制御する。制御部１５０は、例えばＣＰＵ（Central Processing Unit）及びＲＡＭ（Random Access Memory）を備えた装置により実行される。制御部１５０は、画像形成プログラムを実行することによって、トリミング部１５１、用紙サイズ検知部１５２、背景画像生成部１５３、レイアウト部１５４及び画像処理部１５５として機能する。
【００１９】
トリミング部１５１は、画像読取部２００の読取領域から画像読取部２００に配置されたシート領域の画像を取得する。読取領域は、画像読取部２００によって読取処理が行われる領域である。シート領域は、読取領域のうち原稿が配置された領域である。すなわち、シート領域は読取領域に含まれる領域である。トリミング部１５１は、取得されたシート領域を画像データとして生成する。トリミング部１５１は、画像データを用紙サイズ検知部１５２へ出力する。トリミング部１５１は、画像データを背景画像生成部１５３へ出力する。トリミング部１５１は、シート領域の画像とそれ以外の領域の画像とを、色及び明度差を用いて判定する。トリミング部１５１は、第１画像データ生成部の一態様である。トリミング部１５１によって生成される画像データは、第１画像データの一態様である。
【００２０】
用紙サイズ検知部１５２は、受け付けた画像データからシートサイズを検知する。用紙サイズ検知部１５２は、画像読取部２００の読取解像度と受け付けた画像データの画素数とからシートサイズを求める。用紙サイズ検知部１５２は、求めたシートサイズを印刷用紙情報記憶部１０２に記憶させる。用紙サイズ検知部１５２は、シートサイズに対応するシートトレイ情報を決定してもよい。シートトレイ情報は、画像形成処理の際にプリンタ部１３０がシートを取得するシートトレイを決定する際に用いられる。シートトレイ情報は、例えばシートトレイに収容されるシートのシートサイズに最も大きさが近いシートトレイが選択されてもよいし、ユーザから指定されたシートトレイであってもよい。シートトレイ情報は、プリンタ部１３０がシートトレイが特定できるならばどのような情報であってもよい。また、シートトレイ情報は、シートトレイ以外の情報、例えば、手差しが選択されてもよい。
【００２１】
背景画像生成部１５３は、受け付けた画像データから背景画像を生成する。背景画像は画像データを端末３００の印刷データ生成部３１１で表示可能な画像データ形式である。画像データ形式は、例えばＰＤＦ（Portable Document Format）、ＢＭＰ（Bitmap Image）、ＪＰＧ（Joint Photographic Experts Group）等のどのような形式であってもよい。
背景画像生成部１５３は、背景画像を用紙サイズ検知部１５２によって記憶されるシートサイズと対応させて印刷用紙情報記憶部１０２に記憶させる。背景画像生成部１５３は、第２画像データ生成部の一態様である。背景画像は、第２画像データの一態様である。
【００２２】
レイアウト部１５４は、端末３００から受け付けた印刷データに基づいて、調整後印刷画像データを生成する。印刷データは画像形成されるデータを表す印刷画像データと画像形成されるシートの情報を含む。シートの情報はシート収容部１４０が有するシートトレイを特定する情報であるか又は手差しであるかを特定する。レイアウト部１５４は、画像形成される印刷画像データをシートの寸法に合わせて変倍し、調整後印刷データを生成する。また、レイアウト部１５４は、シートの寸法に合わせることなく、ユーザによって指定された倍率に基づいて調整後印刷データを生成してもよい。
【００２３】
画像処理部１５５は、レイアウト部１５４で生成された調整後印刷データに対して画像処理を行う。画像処理は、例えばＬＵＴ（Look Up Table）変換などの色変換、フィルタ及び階調処理等である。画像処理部１５５は画像処理が行われた調整後印刷データをプリンタ部１３０に出力する。画像処理は他のどのような処理が用いられてもよい。
【００２４】
端末３００は、パーソナルコンピュータ、タブレットコンピュータ又はサーバ等の情報処理装置である。端末３００は、通信部３０１、表示部３０２、入力部３０３及び制御部３１０を備える。端末３００は、外部端末の一態様である。
【００２５】
通信部３０１は、ネットワークインタフェースである。通信部３０１は、ネットワーク４００を介して画像形成装置１００と通信する。通信部３０１は、例えばＬＡＮ（Local Area Network）、Ｂｌｕｅｔｏｏｔｈ（登録商標）等のどのような通信方式で通信してもよい。
【００２６】
表示部３０２は、ＣＲＴ（Cathode Ray Tube）ディスプレイ、液晶ディスプレイ、有機ＥＬ（Electro Luminescence）ディスプレイ等の出力装置である。表示部３０２は、出力装置を端末３００に接続するためのインタフェースであってもよい。この場合、表示部３０２は、映像データから映像信号を生成し自身に接続されている映像出力装置に映像信号を出力する。
【００２７】
入力部３０３は、タッチパネル、マウス及びキーボード等の入力装置を用いて構成される。入力部３０３は、入力装置を端末３００に接続するためのインタフェースであってもよい。この場合、入力部３０３は、入力装置において入力された入力信号から入力データ（例えば、印刷データ生成部３１１に対する指示を示す指示情報）を生成し、端末３００に入力する。
【００２８】
制御部３１０は、端末３００の各部の動作を制御する。制御部３１０は、例えばＣＰＵ及びＲＡＭを備えた装置により実行される。制御部３１０は、印刷データ生成プログラムを実行することによって、印刷データ生成部３１１として機能する。制御部３１０は、画像形成装置１００から印刷用紙情報を取得するプリンタドライバとして機能する。
【００２９】
印刷データ生成部３１１は印刷データに基づいて印刷画像データを生成する。印刷データ生成部３１１は、例えば端末３００にインストールされるアプリケーションである。印刷データ生成部３１１は、プリンタドライバを介して印刷用紙情報記憶部１０２から印刷用紙情報を取得する。印刷データ生成部３１１は、印刷用紙情報に含まれる背景画像を表示部３０２に表示させる。印刷データ生成部３１１は入力部３０３を介してユーザからの指示を受け付ける。ユーザからの指示は、例えば、背景画像上に文字又は画像などのオブジェクトを配置させる等であってもよい。
【００３０】
印刷データ生成部３１１は、ユーザから印刷指示を受け付けると、背景画像から印刷画像データを生成する。印刷データ生成部３１１は、印刷用紙情報に含まれるシートサイズに基づいて印刷画像データの画像形成サイズを決定する。または、印刷データ生成部３１１は、ユーザからの指示に基づいて、印刷用紙を決定してもよいし、印刷用紙情報に含まれるシートトレイに関する情報に基づいて決定されてもよい。印刷データ生成部３１１は、ユーザから印刷指示を受け付けると、選択された印刷用紙と印刷画像データとを含む印刷データを画像形成装置１００へ送信する。
【００３１】
図３は、実施形態の印刷用紙情報記憶部１０２が記憶する印刷用紙情報の一具体例を示す図である。印刷用紙情報記憶部１０２は、印刷用紙情報テーブルとして、印刷用紙情報を記憶してもよい。印刷用紙情報テーブルは、印刷用紙情報レコードを有する。印刷用紙情報レコードは、シートサイズ、背景画像及びシートトレイの各値を有する。
【００３２】
シートサイズは、読み取られた画像データの寸法を表す情報である。背景画像は読み取られた画像データを表す情報である。背景画像は、画像データが記憶される印刷用紙情報記憶部１０２上のアドレスが指定されていてもよい。シートトレイは、背景画像が印刷される際に、シート収容部１４０に収容されるどのトレイのシートが用いられるかを指定する。シートトレイに記載される内容はトレイ以外の情報、例えば手差しなどが記載されてもよい。
【００３３】
図３に示される例では、印刷用紙情報テーブルの最上段のレコードは、シートサイズの値が“１０×２５”、背景画像の値が“Ｈａｉｋｅｉ１．ｊｐｇ”、シートトレイの値が“トレイＡ”である。従って、印刷用紙情報テーブルの最上段のレコードによると、画像読取部２００によって読み取られた原稿の寸法は“縦が１０、横が２５”である。また、読み取られた原稿は、ファイル名“Ｈａｉｋｅｉ１．ｊｐｇ”として印刷用紙情報記憶部１０２に保存される。また、“Ｈａｉｋｅｉ１．ｊｐｇ”が画像形成される際には、トレイＡのシートが選択されることがわかる。なお、図３に示される印刷用紙情報テーブルは一具体例に過ぎない。そのため、図３とは異なる態様で印刷用紙情報テーブルが構成されてもよい。例えば、印刷用紙情報テーブルは、それぞれの印刷用紙情報レコードを識別するための管理番号を有していてもよい。
【００３４】
図４は、実施形態の画像形成装置１００による原稿読取領域及びトリミング領域を表す図である。領域５００は、画像読取部２００によって読み取られる読取領域である。領域５１０は、読取領域のうち原稿が配置されたシート領域である。トリミング部１５１は、領域５００の読取領域から、領域５１０のシート領域を取得し、画像データを生成する。領域５２０は、トリミング部１５１によって取得されたシート領域である。トリミング部１５１は、領域５２０に基づいて画像データを生成する。トリミング部１５１は、用紙サイズ検知部１５２に画像データを出力する。用紙サイズ検知部１５２は、画像データの縦及び横の大きさを測定する。トリミング部１５１は、背景画像生成部１５３に画像データを出力する。背景画像生成部１５３は、画像データを背景画像として印刷用紙情報記憶部１０２に記憶させる。
【００３５】
図５は、実施形態の端末３００による印刷画像データの一具体例を表す図である。領域６００は、印刷データ生成部３１１によって表示部３０２に表示される情報である。領域６１０は、印刷データ生成部３１１によって表示される印刷画像データである。印刷画像データには、ユーザの操作によって入力された領域６１１、領域６１２、領域６１３、領域６１４及び領域６１５が含まれる。領域６１１から領域６１５は、ユーザの指示に応じて入力される。ユーザの指示は例えば、領域６１０の任意の位置にテキストボックスを配置する指示である。テキストボックスは領域６１０上であればどこに配置されてもよい。テキストボックスは文字列が入力される領域である。テキストボックスには、ユーザの操作に応じてテキストが入力される。ユーザの指示は、テキストボックスの配置に限定されない。例えば、ユーザの指示は、他の画像データの配置、円や直線などの図形データの配置などがされてもよい。
【００３６】
図６は、実施形態の画像形成装置１００の具体的な画像形成処理の流れを示すシーケンス図である。画像形成装置１００の画像読取部２００は、読取領域に配置された原稿を読み取る（ＡＣＴ１０１）。画像形成装置１００のトリミング部１５１は、読取領域からシート領域の画像を取得する。トリミング部１５１は、シート領域の画像から画像データを生成する（ＡＣＴ１０２）。画像形成装置１００の用紙サイズ検知部１５２は、画像データからシートサイズを検知する。用紙サイズ検知部１５２は、検知されたシートサイズからシートトレイを決定する（ＡＣＴ１０３）。画像形成装置１００の背景画像生成部１５３は画像データに基づいて背景画像を生成する（ＡＣＴ１０４）。画像形成装置１００の印刷用紙情報記憶部１０２はシートサイズ、シートトレイ及び背景画像を含む印刷用紙情報を記憶する（ＡＣＴ１０５）。
【００３７】
端末３００の印刷データ生成部３１１は、画像形成装置１００に印刷用紙情報を要求する（ＡＣＴ１０６）。画像形成装置１００は印刷用紙情報記憶部１０２に記憶される印刷用紙情報を端末３００に送信する（ＡＣＴ１０７）。端末３００の印刷データ生成部３１１は、ユーザからの入力に基づいて印刷画像データを生成する（ＡＣＴ１０８）。印刷データ生成部３１１は、ユーザから印刷用紙の選択を受け付ける（ＡＣＴ１０９）。端末３００の印刷データ生成部３１１は、印刷画像データと選択された印刷用紙とを含む印刷データを画像形成装置１００へ送信する（ＡＣＴ１１０）。
【００３８】
画像形成装置１００のレイアウト部１５４は、印刷データに基づいて、調整後印刷画像データを生成する（ＡＣＴ１１１）。画像形成装置１００の画像処理部１５５は、調整後印刷データに画像処理を行う（ＡＣＴ１１２）。プリンタ部１３０は、画像処理が行われた調整後印刷データを、印刷データに含まれる選択された印刷用紙をシート収容部１４０から取得して画像形成を行う（ＡＣＴ１１３）。
【００３９】
このように、画像読取部２００の読取領域からトリミング部１５１がシート領域を取得する。そして、シート領域に基づいて用紙サイズ検知部１５２は、スキャナの読取解像度と受け付けた画像データの画素数とからシートサイズを求める。用紙サイズ検知部１５２は、求められたシートサイズを画像形成装置１００の印刷用紙情報記憶部１０２に記憶させる。このように構成されることで、非定型サイズのシートサイズであっても、ユーザはあらかじめシートサイズを測定することなく容易に画像形成装置１００へ登録可能となる。
【００４０】
また、背景画像生成部１５３は、印刷用紙情報記憶部１０２に背景画像を記憶させる。画像形成装置１００は端末３００に印刷用紙情報を送信する。これによって、端末３００の印刷データ生成部３１１は、受信した背景画像を表示部３０２に表示させる。ユーザは背景画像の所望の場所に、文字又は画像などの情報を入力できる。このように構成されることで、非定型の背景画像であっても、シート上の任意の場所に画像形成が可能となる。
【００４１】
以上説明した少なくともひとつの実施形態によれば、用紙サイズ検知部１５２を持つことにより、読み取られた原稿のシートサイズを判定し、画像形成装置１００にシートサイズを記憶させることができる。これにより、ユーザはシートサイズを測定する必要がなくなり、より容易に画像形成装置１００へシートサイズを登録できる。また、背景画像生成部１５３を持つことにより、読み取られた原稿を画像形成装置１００に記憶させることができる。これにより、読み取られた画像に基づいて印刷画像データを生成できるため、シート上の任意の場所に画像形成できる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１００…画像形成装置、１０１…通信部、１０２…印刷用紙情報記憶部、１１０…ディスプレイ、１２０…コントロールパネル、１３０…プリンタ部、１４０…シート収容部、１５０…制御部、１５１…トリミング部、１５２…用紙サイズ検知部、１５３…背景画像生成部、１５４…レイアウト部、１５５…画像処理部、２００…画像読取部、３００…端末、３０１…通信部、３０２…表示部、３０３…入力部、３０４…記憶部、３１０…制御部、３１１…印刷データ生成部、４００…ネットワーク
【図１】
2018156390.tif 000003
【図２】
2018156390.tif 000004
【図３】
2018156390.tif 000005
【図４】
2018156390.tif 000006
【図５】
2018156390.tif 000007
【図６】
2018156390.tif 000008